【事件の表示】
　特願２０１５−７９５１７号「遊技機」拒絶査定不服審判事件〔平成２８年１月１４日出願公開、特開２０１６−５５３８号〕について、次のとおり審決する。
【結　論】
　本件審判の請求は、成り立たない。
【理　由】
１　手続の経緯の概要
　本願は、特許法第４１条に基づく優先権主張を伴う平成２７年１月３１日（優先権主張　平成２６年５月３１日、出願番号：特願２０１４−１１３６３８号、
優先権主張　同年５月３１日、出願番号：特願２０１４−１１３６３９号、
優先権主張　同年５月３１日、出願番号：特願２０１４−１１３６４０号、
優先権主張　同年５月３１日、出願番号：特願２０１４−１１３６４１号、
優先権主張　同年５月３１日、出願番号：特願２０１４−１１３６４２号、
優先権主張　同年５月３１日、出願番号：特願２０１４−１１３６４３号、
優先権主張　同年５月３１日、出願番号：特願２０１４−１１３６４４号）に出願された特願２０１５−１８０３５号の一部を同年４月８日に新たな特許出願（特願２０１５−７９５１７号）としたものであって、平成２８年３月２５日付けで拒絶の理由が通知され、同年５月３０日に意見書及び手続補正書が提出され、同年１１月２２日付けで最後の拒絶の理由が通知され、平成２９年１月３０日に意見書及び手続補正書が提出されたところ、同年６月７日付けで、同年１月３０日付け手続補正が却下されるとともに拒絶査定がなされ、それに対して、同年９月１５日に拒絶査定不服審判の請求がなされると同時に手続補正がなされ、これに対し、当審において、平成３０年７月１３日付けで拒絶の理由が通知され、同年９月１５日に意見書及び手続補正書が提出されたものである。
　
２　本願発明
　本願の請求項１に係る発明（以下「本願発明」という。）は、平成３０年９月１５日付け手続補正書により補正された特許請求の範囲の請求項１に記載された、次のとおりのものである。
「Ａ　所定の判定を実行する判定手段と、
Ｂ　その判定手段による判定結果を示すための識別情報が動的表示される表示手段と、
Ｃ　その表示手段に特定の前記判定結果を示すための識別情報が停止表示された場合に、遊技者に有利となる特典を付与する特典付与手段と、を有した遊技機において、
Ｄ　遊技の演出を実行する演出実行手段と、
Ｅ　遊技者が操作可能な操作手段と、
Ｆ　その操作手段が操作されたことを判別する操作判別手段と、
Ｇ　その操作判別手段による判別結果に基づいて、前記演出を可変させる演出可変手段と、
Ｈ　前記操作手段が操作されたと前記操作判別手段に判別されたタイミングにより前記演出可変手段により可変される演出内容を設定する演出設定手段と、
Ｉ　前記操作手段が操作されたと前記操作判別手段により判別されたことに基づいて、遊技者にとって有利となる前記演出内容が設定される第１期間と、その第１期間よりも遊技者にとって不利となる前記演出内容が設定される第２期間とを少なくとも設定することが可能な期間設定手段と、
Ｊ　前記第１期間と前記第２期間とを判別可能に報知する第１報知態様とその第１報知態様とは異なる報知態様で前記第１期間と前記第２期間とを判別可能に報知する第２報知態様とを少なくとも同一期間に報知する報知手段と、
Ｋ　前記判定手段による判定結果が前記特定の判定結果である場合には、前記第１期間であることを示す前記第１報知態様に基づいて遊技者が前記操作手段を操作することで前記第１期間に前記操作手段が操作されたと前記操作判別手段により判別されることが可能となる前記第１報知態様が実行され易くし、前記判定手段による判定結果が前記特定の判定結果でない場合には、前記第１期間であることを示す前記第１報知態様に基づいて遊技者が前記操作手段を操作することで前記第１期間に前記操作手段が操作されたと前記操作判別手段により判別されることが困難な前記第１報知態様が実行され易くする手段と、を有し、
Ｌ　前記第１報知態様は、経時に従ってそれぞれ表示位置が可変されて表示されうる複数の報知表示態様の表示位置を組み合わせることで前記第１期間と前記第２期間とを識別可能に構成されており、
Ｍ　前記第２報知態様は、経時に従って表示位置が所定の態様で可変されて表示されうる可変報知表示態様と表示位置が固定して表示される固定報知表示態様とを組み合わせることで前記第１期間と前記第２期間とを識別可能に構成されているものであり、
Ｎ　前記報知手段は、前記第２報知態様における前記可変報知表示態様を前記第２期間であることを示す表示位置で表示されていると判別した場合に、前記第２期間を示す表示位置に前記第１報知態様における前記複数の報知表示態様をそれぞれ表示させる設定を実行するものであることを特徴とする遊技機。」（記号Ａ〜Ｎは、分説するため当審で付した。）
　
３　拒絶の理由
　平成３０年７月１３日付けの当審で通知した拒絶理由は、概略、次のとおりのものである。
　本件出願の平成２９年９月１５日付け手続補正で補正された請求項１〜２に係る発明は、その出願前日本国内において頒布された下記の刊行物１〜４に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　刊行物１：特開２０１４−１８５９８号公報
　刊行物２：特開２００７−３１３１０６号公報
　刊行物３：特開２０１０−１２１４６号公報
　刊行物４：特開２０１２−２１０２４３号公報」
　
４　刊行物１に記載された発明
　当審による拒絶理由において刊行物１として引用された、本願の優先権主張の日（以下「優先日」という。）前に頒布された刊行物である特開２０１４−１８５９８号公報には、図面とともに次の事項が記載されていると認められる（下線は当審で付した。以下同じ。）。
　
（１）記載事項
　　ア　「【技術分野】
【０００１】
　本発明は、遊技者によって操作可能な操作手段を備えた
弾球遊技機
・・・
【発明が解決しようとする課題】
【０００６】
　上述したように、演出ボタンを備えた遊技機では、演出ボタンの操作が有効となる期間を示すメーターや数値が演出図柄表示装置上に表示されるものがあるが、それらは単に有効期間や残り時間を報知するのみであり、特別図柄に対応した演出図柄の変動表示中に演出図柄表示装置に表示されているにもかかわらず、該表示自体が大当りの期待度演出に寄与することは無かった。
【０００７】
　本願発明は、上記した問題を鑑み、演出ボタンの操作が有効になると演出図柄表示装置等で該演出ボタンの操作が有効であることを示しつつ、所定のタイミングでの操作を促すことにより、演出図柄表示装置上に表示した演出ボタンの有効期間を示すメーターや数値までをも大当りの期待度演出に有効に使用して
演出力を高める
　
　　イ　「【００２９】
　また、意匠枠４ｂは、遊技球を貯留しておくための上皿１２および下皿１３を略中央に備え、
遊技者が操作可能な遊技ボタン１４
遊技ボタン１４
遊技者の操作に応じた信号が検出可能な操作装置
・・・
【００３７】
　
第１特別図柄及び第２特別図柄の変動中は、
演出図柄表示装置５４ｂにおいて各々の特別図柄の変動に連動した演出態様を表示する。
【００３８】
　
変動後に確定表示した第１特別図柄及び第２特別図柄の態様に応じて
大入賞口ソレノイド３３ｃ
を駆動させる。
・・・
【００４３】
　
主制御装置５０の出力端には、
大入賞口３３ａの扉部材を駆動する大入賞口ソレノイド３３ｃ
が接続されている。
　
　　ウ　「【００４９】
　
サブ統合制御装置５３は
演出に関わる各種コマンド等を生成し
　
　　エ　「【００５７】
　Ｓ２５に続いては、記憶した第１保留記憶の先読判定を行う（Ｓ３０）。具体的には、大当り判定用乱数の値が大当りを生起する値か否かを確認し、大当り値なら大当り図柄の種類を確認する。
大当り判定
　
　　オ　「【００６３】
　次に、図５に示したフローチャートを用いて
主制御装置５０が行う当否判定処理
特別遊技を実行するか否かを判定
大当り
か否かを
する処理
・・・
【００６８】
　続くＳ１３０の処理では、大当り判定用乱数の比較処理（Ｓ１２５）の結果が大当りであるか否か判定する（本実施例では１／３００）。肯定判定なら（Ｓ１３０：ｙｅｓ）、図柄モード設定処理を行う（Ｓ１３５）。図柄モード設定処理では、当否判定の対象とした保留記憶の種類（第１保留記憶又は第２保留記憶）と、判定対象となる保留記憶の大当り図柄決定用乱数１に基づいて、大当り遊技の内容と大当り遊技終了後の遊技状態を決定する図柄モードを設定する（Ｓ１３５）。続いて、設定した図柄モードの種類と判定対象となる保留記憶の大当り図柄決定用乱数２に基づいて大当り図柄選択処理を行う（Ｓ１４０）。これは、図柄モードの設定によって決定した大当りの種類（大当り遊技の内容と大当り遊技終了後の遊技状態）を大当り図柄によって報知するために、図柄モードの種類毎に設定された図柄郡の中から表示する図柄を決定する処理となる。
・・・
【００７０】
　次に、Ｓ１３５で設定した図柄モードに基づいて大当り遊技の内容となる大入賞口の開放パターン設定処理を行い（Ｓ１５０）、当否判定の対象とした保留記憶のリーチ決定用乱数および変動パターン決定用乱数に基づいて、第１特別図柄表示装置２９又は第２特別図柄表示装置３０、及び演出図柄表示装置５４ｂに表示する図柄の変動時間となる変動パターンを、変動パターン選択テーブルから選択する（Ｓ１５５）。
【００７１】
　次に、選択した大当り図柄および変動パターンの情報を、変動指示信号（変動指示コマンド）（本発明の制御信号に該当）としてサブ統合制御装置５３へ送信する（Ｓ１６０）。この情報を受信したサブ統合制御装置５３からの指示に基づいて、演出図柄制御装置５４ａは
演出図柄表示装置５４ｂ
大当り図柄
の変動表示
主制御装置５０は、第１特別図柄表示装置２９又は第２特別図柄表示装置３０を直接制御して特別図柄の変動を開始する。
【００７２】
　Ｓ１３０が否定判定、即ちハズレなら（Ｓ１３０：ｎｏ）、大当り判定用乱数の比較処理（Ｓ１２５）の結果が小当りであるか否か判定し（１／１５０）（Ｓ１６５）、肯定判定なら（Ｓ１６５：ｙｅｓ）、小当り図柄を選択し（Ｓ１７０）、続いて小当り遊技の開放パターン設定処理を行い（Ｓ１５０）、小当り図柄に対応する変動パターン選択処理を行い（Ｓ１５５）、小当り図柄および変動パターンの情報となる変動指示信号をサブ統合制御装置５３へ送信する（Ｓ１６０）。この情報を受信したサブ統合制御装置５３からの指示に基づき演出図柄制御装置５４ａは
演出図柄表示装置５４ｂ
小当り図柄
の変動表示
【００７３】
　Ｓ１６５が否定判定なら（Ｓ１６５：ｎｏ）、ハズレ図柄を選択し（Ｓ１７５）、続いてハズレ図柄に対応する変動パターン設定処理を行い（Ｓ１５５）、ハズレに関する図柄及び変動パターンの情報となる変動指示信号をサブ統合制御装置５３へ送信する（Ｓ１６０）。この情報を受信したササブ統合制御装置５３からの指示に基づき演出図柄制御装置５４ａは
演出図柄表示装置５４ｂ
ハズレ図柄
の変動表示
　
　　カ　「【００７４】
　次に、図７に示したフローチャートを用いて、サブ統合制御装置５３が実行する変動指示コマンド受信処理を説明する。この処理は、主制御装置５０から受信する変動指示コマンドの種類と、該受信時にサブ統合制御装置５３が抽出する乱数値とに応じて、演出図柄表示装置５４ｂ上に表示する変動表示態様を選択する処理を主とし、本発明のボタン演出判定手段を含む処理となる。
【００７５】
　変動指示コマンド受信処理を開始すると、主制御装置５０から変動指示コマンドを受信したか否か判定する（Ｓ２００）。否定判定なら（Ｓ２００:ｎｏ）リターンし、肯定判定なら（Ｓ２００：ｙｅｓ）、振分乱数１を抽出し（Ｓ２０５）、サブ統合制御装置５３が備える保留球数カウンタのデクリメントを行い（Ｓ２１０）、受信した変動指示コマンドが、図６の図表中のＢとなる変動パターン８、又は変動パターン９を示すか否か判定する（Ｓ２１５）。
【００７６】
　Ｓ２１５が肯定判定なら（Ｓ２１５：ｙｅｓ）、演出図柄表示装置５４ｂに表示する演出変動態様として特別遊技ボタン演出を選択する（Ｓ２２０）。この場合、Ｓ２０５で抽出した乱数値に応じて、サブ統合制御装置５３が記憶する複数種類の特別遊技ボタン演出態様及び演出図柄の中から演出図柄表示装置５４ｂに表示する１つの特別遊技ボタン演出と確定表示する演出図柄の種類とが選択される。
【００７７】
　Ｓ２１５が否定判定なら、受信した変動指示コマンドが、図６の図表中のＡとなる変動パターン６、又は変動パターン７を示すか否か判定し（Ｓ２３０）、肯定判定なら（Ｓ２３０：ｙｅｓ）、演出図柄表示装置５４ｂに表示する演出変動態様として遊技ボタン演出を選択する（Ｓ２３５）。この場合も、Ｓ２０５で抽出した乱数値に応じて、サブ統合制御装置５３が記憶する複数種類の遊技ボタン演出態様及び演出図柄の中から１つの遊技ボタン演出と確定表示する演出図柄の種類とが選択される。
・・・
【００７９】
　Ｓ２３０が否定判定なら（Ｓ２３０：ｎｏ）、受信した変動指示コマンドと抽出した振分乱数１の値に応じてサブ統合制御装置５３が記憶する複数種類の変動態様及び演出図柄の中から演出図柄表示装置５４ｂに表示する演出図柄の変動態様と、確定表示する演出図柄の種類とを選択する（Ｓ２４０）。Ｓ２２０、Ｓ２３５、Ｓ２４０に続いては、選択した演出変動態様及び確定図柄を演出図柄表示装置５４ｂに表示する指示信号を演出図柄制御装置５４ａに送信し（Ｓ２２５）リターンする。」
　
　　キ　「【００８１】
　次に、図８に示したフローチャートを用いて、実施例１において
サブ統合制御装置５３が実行する遊技ボタン作動判定処理１
遊技ボタン１４の操作有効期間の管理と、遊技ボタン１４の操作タイミングに応じた特別演出又は通常演出を実施する処理を行う
【００８２】
　
遊技ボタン作動判定処理１を開始すると、
【００８３】
　Ｓ２５０が否定判定なら（Ｓ２５０：ｎｏ）リターンし、肯定判定なら（Ｓ２５０：ｙｅｓ）、
遊技ボタンスイッチ１４ａからの操作信号を受信したか否か判定し
「特別停止秒数」
【００８４】
　Ｓ２６０に続いては、実施中の変動態様が変動パターン８、又は変動パターン９に基づくものか否か判定し（Ｓ２６５）、否定判定なら（Ｓ２６５:ｎｏ）、Ｓ２６０で確認した操作時間が上記したいずれかの特別停止秒数か否か判定する（Ｓ２７５）。Ｓ２６５、又は
Ｓ２７０が肯定判定なら
特別演出表示の実施を指示する信号を
送信する
Ｓ２７０が否定判定なら
通常演出表示の実施を指示する信号を
送信する
。
　
　　ク　「【００８８】
　次に、図９、図１０、図１１を用いて演出図柄表示装置５４ｂに表示される遊技ボタン演出の表示態様と、遊技ボタン１４の操作に応じて実施される特別演出及び通常演出の表示態様について説明する。図９（１）は、遊技ボタン演出の画面構成を示している。具体的には、画面上部には左図柄、中図柄、右図柄で構成した演出図柄を表示し、特別図柄の変動および停止表示に応じて変動表示と停止表示とを実施する。
【図９】
【図１０】
【図１１】
【００８９】
　
変動パターン６、７（ノーマルロングリーチ）
・・・
【００９１】
　
数値表示部には、遊技ボタン１４の操作が有効になってから経過した秒数が百分の１の位から３桁で表示され、遊技ボタン１４の操作が有効になった時点
から無効となるまで、
【００９２】
　また、棒状の表示態様を画面最下部で横倒しにした
メーター部には、経過した有効時間を示しながら左端から右端方向に向かって移動する移動表示部
と、５箇所の特別演出目印部
を均等に配置している。
【００９３】
　この、特別演出目印部と移動表示部とを設けたメーター部と、上記した３桁の秒数を表示する数値表示部との構成により、
遊技者に、移動表示部が特別演出目印部を通過するタイミングで遊技ボタン１４を操作させることで、数値表示部の経過秒数をすべて同じ数字で揃えて停止させることを狙い易くしている。
【００９４】
　このように、ボタン操作指示部にてボタンの操作を促しつつ、ボタン操作にはメーター部により
有効期間
特別演出目印部上に移動表示部が来る
【００９５】
　図１０（２）は、
遊技者による遊技ボタン１４の操作が、特別停止秒数
に合わせて実施された場合
遊技ボタン１４の操作が成功した場合の
移動表示部が
特別演出目印部まで移動したタイミングで遊技ボタン１４が操作されたことに応じて
表示内容
数値表示部は、遊技ボタン１４が操作された経過時間として５：５５（３桁が同一の数字で停止）を停止表示する。メーター部では、移動表示部が一番右の特別演出目印部上に停止した状態となる。
【００９６】
　図１０（３）は、
遊技者による遊技ボタン１４の操作が、特別停止秒数に合わせて実施されなかった場合
遊技ボタン１４の操作が失敗した場合の
表示内容
数値表示部は、遊技ボタン１４が操作された経過時間として５：４５を停止表示する。メーター部では、移動表示部が一番右の特別演出目印部の直前で停止した状態となる。
【００９７】
　図１１（４）は、
遊技ボタン１４が特別停止秒数に合わせて実施された場合、即ち、操作が成功し数値表示部に３桁の同じ数字が表示された場合、
特別演出
を示す図例となる。
【００９８】
　特別演出が実施されると、数値表示部に表示された３桁の同一数字はそのまま停止表示を継続し、ボタン操作指示部とメーター部とがキャラクター（達吉）とコメント表示部に入れ替わる。この場合のキャラクターは笑顔の達吉となり、最下部のコメント表示部には、現在変動表示中の抽選結果に対して、当りハズレがはっきり分かるコメントを表示する。当りハズレがはっきり分かるコメントとは、例えば、図例にあるように「やったぜ大当りだ！」であれば、変動表示中の抽選が必ず大当りとなることを示唆し、「残念ハズレです」であれば、必ずはずれることを示唆する。
【００９９】
　図１１（５）は、
遊技ボタン１４が特別停止秒数に合わせて実施されなかった場合、即ち、遊技ボタン１４の操作が失敗した場合に表示される通常演出
を示す図例となる。
・・・
【０１０１】
　以上が実施例１の説明となる。上述したように特別遊技ボタン演出や遊技ボタン演出においては、遊技者に漠然と遊技ボタン１４を操作させるのではなく、所定の時間を狙わせて操作させることによって、擬似的に当り図柄を揃えるといったゲーム性を遊技者に与えている。また、メーター部では、特別演出目印部と移動表示部とに注目させて遊技ボタン１４を操作させることにより、
当り（停止秒数となる３個の数字が同一数字で停止）をより容易に経験させることができるとともに、目印を目安に遊技ボタン１４を操作すれば、外れても当りに近い数値の並びとなり、次回のやる気を喚起することができる。
　
（２）認定事項
　　ケ
【図６】　
　【図６】には、
ノーマルロングリーチ
変動パターン６
変動パターン７
　
（３）上記ア〜クの記載事項、及び上記ケの認定事項、及び、図面の図示内容を総合勘案すると、刊行物１には、次の発明（以下「刊行物発明」という。）が記載されているものと認められる（ａ〜ｎは、本願発明のＡ〜Ｎに対応させて付与した。）。
「ａ　大当りか否かを判定する当否判定処理を行う主制御装置５０（【００６３】）と、
ｂ　大当り図柄、小当り図柄、若しくは、ハズレ図柄の変動表示がなされる演出図柄表示装置５４ｂ（【００７１】〜【００７３】）とを備え、
ｃ　主制御装置５０は、第１特別図柄表示装置２９又は第２特別図柄表示装置３０を直接制御して特別図柄の変動を開始し、変動後に確定表示した第１特別図柄及び第２特別図柄の態様に応じて、大入賞口３３ａの扉部材を駆動する大入賞口ソレノイド３３ｃを駆動し（【００３８】、【００４３】、【００７１】）、
　第１特別図柄及び第２特別図柄の変動中は、演出図柄表示装置５４ｂにおいて各々の特別図柄の変動に連動した演出態様が表示され（【００３７】）、
ｄ　演出に関わる各種コマンド等を生成するサブ統合制御装置５３（【００４９】）と、
ｅ　遊技者が操作可能な遊技ボタン１４（【００２９】）とを備え、
ｆ　サブ統合制御装置５３は、遊技ボタン１４の操作有効期間の管理と、遊技ボタン１４の操作タイミングに応じた特別演出又は通常演出を実施する処理を行う、遊技ボタン作動判定処理１において、遊技ボタンスイッチ１４ａからの操作信号を受信したか否か判定し（【００８１】〜【００８３】）、
ｇ、ｈ　サブ統合制御装置５３は、遊技ボタン１４の操作タイミングに応じて遊技ボタン１４の操作が成功した内容の特別演出、又は、遊技ボタン１４の操作が失敗した内容の通常演出の実施を指示する信号を送信し（【００８１】、【００８４】、【００９５】、【００９６】）、
ｉ　サブ統合制御装置５３は、
　　　遊技ボタン１４が特別停止秒数に合わせて実施された場合、即ち、操作が成功し数値表示部に３桁の同じ数字が表示された場合、上記特別演出を実施し、
　　　遊技ボタン１４が特別停止秒数に合わせて実施されなかった場合、即ち、遊技ボタン１４の操作が失敗した場合、上記通常演出を実施し（【００８１】〜【００８３】、【００９７】）、
　　　当り（停止秒数となる３個の数字が同一数字で停止）をより容易に経験させることができるとともに、目印を目安に遊技ボタン１４を操作すれば、外れても当りに近い数値の並びとなり、次回のやる気を喚起することができ（【０１０１】）、
ｊ、ｍ　サブ統合制御装置５３は、
　遊技ボタン１４の操作が有効になった時点から無効となるまで、遊技ボタン１４の操作が有効になってから経過した秒数が百分の１の位から３桁で表示され、「特別停止秒数」に対応する「時間」と「特別停止秒数」以外の「時間」とを数値表示部に表示すると共に、
　経過した有効時間を示しながら左端から右端方向に向かって移動する移動表示部と、５箇所に均等に配置されている特別演出目印部とからなるメーター部において、有効期間の間、特別演出目印部上に移動表示部が来るように制御し（【００８１】、【００９１】、【００９２】、【００９４】）、
　遊技者に、移動表示部が特別演出目印部を通過するタイミングで遊技ボタン１４を操作させることで、数値表示部の経過秒数をすべて同じ数字で揃えて停止させることを狙い易くし（【００９３】）、
ｋ　ノーマルロングリーチには、当否判定が当のときの変動パターン６と、当否判定が否のときの変動パターン７とがあり（【００８９】、【図６】）、
ｎ　サブ統合制御装置５３は、遊技者が遊技ボタン１４を操作した時間が、遊技ボタン１４の操作が失敗した内容の表示が行われる時間であった場合、メーター部に、移動表示部が一番右の特別演出目印部の直前で停止表示すると共に、数値表示部に、遊技ボタン１４が操作された経過時間として５：４５を停止表示した状態に制御する（【００８１】、【００９６】）
　弾球遊技機（【０００１】）。」
　
５　対比
　本願発明と刊行物発明とを、分説に従い対比する。
（ａ）刊行物発明における「大当りか否かを判定する当否判定」は、本願発明における「所定の判定」に相当する。
　したがって、刊行物発明における構成ａの「大当りか否かを判定する当否判定処理を行う主制御装置５０」は、本願発明における構成Ａの「所定の判定を実行する判定手段」としての機能を有する。
　
（ｂ）刊行物発明における「大当り図柄、小当り図柄、若しくは、ハズレ図柄」は、本願発明における「判定手段による判定結果を示すための識別情報」に相当する。
　そして、刊行物発明における「変動表示」は、本願発明における「動的表示」に相当する。
　したがって、刊行物発明における構成ｂの「大当り図柄、小当り図柄、若しくは、ハズレ図柄の変動表示がなされる演出図柄表示装置５４ｂ」は、本願発明における構成Ｂの「その判定手段による判定結果を示すための識別情報が動的表示される表示手段」に相当する。
　
（ｃ）刊行物発明における「大入賞口３３ａの扉部材を駆動する大入賞口ソレノイド３３ｃを駆動」することは、本願発明における「遊技者に有利となる特典を付与する」ことに相当する。
　
　そして、刊行物発明における「演出図柄表示装置５４ｂ」は、「第１特別図柄及び第２特別図柄の変動中は」「各々の特別図柄の変動に連動した演出態様」となることから、刊行物発明において、「演出図柄表示装置５４ｂ」での「大当り図柄」の「確定表示」は、「第１特別図柄及び第２特別図柄」の変動に連動して行われるものである。
　したがって、刊行物発明において、「変動後に確定表示した第１特別図柄及び第２特別図柄の態様に応じて、大入賞口３３ａの扉部材を駆動する大入賞口ソレノイド３３ｃを駆動」するときは、本願発明における「その表示手段に特定の判定結果を示すための識別情報が停止表示された場合」に相当する。
　
　よって、刊行物発明における構成ｃの「第１特別図柄表示装置２９又は第２特別図柄表示装置３０を直接制御して特別図柄の変動を開始し、変動後に確定表示した第１特別図柄及び第２特別図柄の態様に応じて、大入賞口３３ａの扉部材を駆動する大入賞口ソレノイド３３ｃを駆動」する「主制御装置５０」は、本願発明における構成Ｃの「その表示手段に特定の判定結果を示すための識別情報が停止表示された場合に、遊技者に有利となる特典を付与する特典付与手段」としての機能を有する。
　
（ｄ）刊行物発明における「演出に関わる各種コマンド等を生成」することは、「各種コマンド」に基づいて演出を実行することであるから、本願発明における「遊技の演出を実行する」ことに相当する。
　したがって、刊行物発明における「演出に関わる各種コマンド等を生成」する「サブ統合制御装置５３」は、本願発明における「遊技の演出を実行する演出実行手段」としての機能を有する。
　
（ｅ）刊行物発明における「遊技者が操作可能な遊技ボタン１４」は、本願発明における「遊技者が操作可能な操作手段」に相当する。
　
（ｆ）刊行物発明において、「遊技ボタンスイッチ１４ａ」は、「遊技ボタン１４」が操作されたことを検出するものであることは明らかであるから、刊行物発明における「遊技ボタンスイッチ１４ａからの操作信号を受信したか否か判定」することは、本願発明における「その操作手段が操作されたことを判別する」ことに相当する。
　したがって、刊行物発明における「遊技ボタンスイッチ１４ａからの操作信号を受信したか否か判定」する「サブ統合制御装置５３」は、本願発明における「その操作手段が操作されたことを判別する操作判別手段」としての機能を有する。
　
（ｇ）刊行物発明における「遊技ボタン１４の操作タイミングに応じ」ることは、遊技ボタン１４が操作されたことを前提にするものであるから、本願発明における「その操作判別手段による判別結果に基づ」くことに相当する。
　そして、刊行物発明における「遊技ボタン１４の操作が成功した内容の特別演出、又は、遊技ボタン１４の操作が失敗した内容の通常演出の実施を指示する」ことは、演出を「特別演出」と「通常演出」との間で切り替えて実施可能とすることであるから、本願発明における「演出を可変させる」ことに相当する。
　したがって、刊行物発明における構成ｇ、ｈの「遊技ボタン１４の操作タイミングに応じて遊技ボタン１４の操作が成功した内容の特別演出、又は、遊技ボタン１４の操作が失敗した内容の通常演出の実施を指示する」「サブ統合制御装置５３」は、本願発明における構成Ｇの「その操作判別手段による判別結果に基づいて、演出を可変させる演出可変手段」としての機能を有する。
　
（ｈ）刊行物発明における「遊技ボタン１４の操作タイミング」は、本願発明における「操作手段が操作されたと操作判別手段に判別されたタイミング」に相当する。
　そして、刊行物発明における「遊技ボタン１４の操作が成功した内容の特別演出、又は、遊技ボタン１４の操作が失敗した内容の通常演出の実施を指示する」ことは、「特別演出」として設定された「遊技ボタン１４の操作が成功した内容」の演出の実施、また、「通常演出」として「遊技ボタン１４の操作が失敗した内容」の演出の実施をそれぞれ指示することであるから、刊行物発明は、「特別演出」、「通常演出」に対応した内容の演出を設定するものであるといえる。
　したがって、刊行物発明は、本願発明における「演出可変手段により可変される演出内容を設定する」に相当する構成を備えるものである。
　よって、刊行物発明における構成ｇ、ｈの「遊技ボタン１４の操作タイミングに応じて遊技ボタン１４の操作が成功した内容の特別演出、又は、遊技ボタン１４の操作が失敗した内容の通常演出の実施を指示する」「サブ統合制御装置５３」は、本願発明における構成Ｈの「操作手段が操作されたと操作判別手段に判別されたタイミングにより演出可変手段により可変される演出内容を設定する演出設定手段」としての機能を有する。
　
（ｉ）刊行物発明における「遊技ボタン１４が特別停止秒数に合わせて実施された」こと、「遊技ボタン１４が特別停止秒数に合わせて実施されなかった」ことは、本願発明における「操作手段が操作されたと操作判別手段により判別されたこと」に相当する。
　そして、刊行物発明における「操作が成功し数値表示部に３桁の同じ数字が表示され」ることは、遊技者に「当り（停止秒数となる３個の数字が同一数字で停止）をより容易に経験させることができる」ことであるから、本願発明における「遊技者にとって有利となる演出内容が設定される」ことに相当する。
　したがって、刊行物発明における「遊技ボタン１４が」「合わせて実施された場合」、「特別演出」が「実施」される「特別停止秒数」の「時間」は、本願発明における「操作手段が操作されたと操作判別手段により判別されたことに基づいて、遊技者にとって有利となる演出内容が設定される第１期間」に相当する。
　
　また、刊行物発明における「遊技ボタン１４の操作が失敗した場合」「通常演出を実施」することは、「目印を目安に遊技ボタン１４を操作すれば、外れても当りに近い数値の並びとなり、次回のやる気を喚起することができ」ることであるから、本願発明における「第１期間よりも遊技者にとって不利となる演出内容が設定される」ことに相当する。
　したがって、刊行物発明における「遊技ボタン１４が」「合わせて実施されなかった場合」、「通常演出」が「実施」される「特別停止秒数」以外の「時間」は、本願発明における「その第１期間よりも遊技者にとって不利となる前記演出内容が設定される第２期間」に相当する。
　
　よって、刊行物発明における「遊技ボタン１４が特別停止秒数に合わせて実施された場合、即ち、操作が成功し数値表示部に３桁の同じ数字が表示された場合、上記特別演出を実施し、遊技ボタン１４が特別停止秒数に合わせて実施されなかった場合、即ち、遊技ボタン１４の操作が失敗した場合、上記通常演出を実施」する「サブ統合制御装置５３」は、本願発明における「操作手段が操作されたと操作判別手段により判別されたことに基づいて、遊技者にとって有利となる演出内容が設定される第１期間と、その第１期間よりも遊技者にとって不利となる演出内容が設定される第２期間とを少なくとも設定することが可能な期間設定手段」としての機能を有する。
　
（ｊ）刊行物発明において、「特別停止秒数」対応する「時間」と「特別停止秒数」以外の「時間」とは、「特別停止秒数」の「時間」が、構成ｉより、「３桁の同じ数字が表示され」る時間であるのに対して、「特別停止秒数」以外の「時間」が、「３桁の同じ数字が表示され」ない時間であって、両者の時間は、互いに区別して認識可能なものである。
　したがって、刊行物発明における「遊技ボタン１４の操作が有効になってから経過した秒数が百分の１の位から３桁で表示され、「特別停止秒数」に対応する「時間」と「特別停止秒数」以外の「時間」とを数値表示部に表示する」ことは、本願発明における「第１期間と第２期間とを判別可能に報知する第１報知態様」を「報知する」ことに相当する。
　
　そして、刊行物発明における「特別演出目印部上に移動表示部が来る」時間は、「遊技者に、移動表示部が特別演出目印部を通過するタイミングで遊技ボタン１４を操作させることで、数値表示部の経過秒数をすべて同じ数字で揃えて停止させることを狙い易く」することからみて、「数値表示部の経過秒数」が「すべて同じ数字で揃」う、すなわち、「３桁の同じ数字が表示され」る時間であるといえる。したがって、刊行物発明における「特別演出目印部上に移動表示部が来る」時間は、本願発明における「第１期間」に相当する。
　また、刊行物発明において、「移動表示部」と「特別演出目印部」とは、「特別演出目印部上に移動表示部が来る場合」に加えて、「特別演出目印部上に移動表示部が来ない場合」があることは、その「メーター部」の構成からみて明らかである。そして、この「特別演出目印部上に移動表示部が来ない場合」は、本願発明における「第２期間」に相当する。また、「特別演出目印部上に移動表示部が来る場合」と「特別演出目印部上に移動表示部が来ない場合」とは、遊技者が互いに区別して認識可能なものである。
　さらに、刊行物発明において、「数値表示部」による停止秒数の表示と、「メーター部」による「移動表示部」と「特別演出目印部」の表示とは、その表示態様が異なるものである。
　したがって、刊行物発明における「経過した有効時間を示しながら左端から右端方向に向かって移動する移動表示部と、５箇所に均等に配置されている特別演出目印部とからなるメーター部において、有効期間の間、特別演出目印部上に移動表示部が来るように制御」することは、本願発明における「第１報知態様とは異なる報知態様で第１期間と第２期間とを判別可能に報知する第２報知態様」を「報知する」ことに相当する。
　
　また、上記したように、刊行物発明における「特別演出目印部上に移動表示部が来る」時間は、「遊技者に、移動表示部が特別演出目印部を通過するタイミングで遊技ボタン１４を操作させることで、数値表示部の経過秒数をすべて同じ数字で揃えて停止させることを狙い易く」することからみて、「数値表示部の経過秒数」が「すべて同じ数字で揃」う時間と同じであるから、刊行物発明は、本願発明における「第１報知態様」「第２報知態様とを少なくとも同一期間に報知する」ことに相当する構成を備えるものである。
　
　よって、刊行物発明における構成ｊ、ｍの「遊技ボタン１４の操作が有効になった時点から無効となるまで、遊技ボタン１４の操作が有効になってから経過した秒数が百分の１の位から３桁で表示され、「特別停止秒数」に対応する「時間」と「特別停止秒数」以外の「時間」とを数値表示部に表示すると共に、経過した有効時間を示しながら左端から右端方向に向かって移動する移動表示部と、５箇所に均等に配置されている特別演出目印部とからなるメーター部において、有効期間の間、特別演出目印部上に移動表示部が来るように制御」する「サブ統合制御装置５３」は、本願発明における「第１期間と第２期間とを判別可能に報知する第１報知態様とその第１報知態様とは異なる報知態様で第１期間と第２期間とを判別可能に報知する第２報知態様とを少なくとも同一期間に報知する報知手段」としての機能を有する。
　
（ｍ）刊行物発明における「経過した有効時間を示しながら左端から右端方向に向かって移動する移動表示部」は、本願発明における「経時に従って表示位置が所定の態様で可変されて表示されうる可変報知表示態様」に相当する。
　そして、刊行物発明における「５箇所に均等に配置されている特別演出目印部」は、本願発明における「表示位置が固定して表示される固定報知表示態様」に相当する。
　また、上記（ｊ）より、刊行物発明は、「移動表示部」と「特別演出目印部」とを組み合わせることにより、「特別演出目印部上に移動表示部が来る場合」と「特別演出目印部上に移動表示部が来ない場合」とを表示するものであるから、本願発明における「可変報知表示態様と表示位置が固定して表示される固定報知表示態様とを組み合わせることで第１期間と第２期間とを識別可能に構成されている」構成を備えるものである。
　
　したがって、刊行物発明における構成ｊ、ｍの「遊技ボタン１４の操作が有効になった時点から無効となるまで、遊技ボタン１４の操作が有効になってから経過した秒数が百分の１の位から３桁で表示され、「特別停止秒数」に対応する「時間」と「特別停止秒数」以外の「時間」とを数値表示部に表示すると共に、経過した有効時間を示しながら左端から右端方向に向かって移動する移動表示部と、５箇所に均等に配置されている特別演出目印部とからなるメーター部において、有効期間の間、特別演出目印部上に移動表示部が来るように制御」することは、本願発明における「第２報知態様は、経時に従って表示位置が所定の態様で可変されて表示されうる可変報知表示態様と表示位置が固定して表示される固定報知表示態様とを組み合わせることで第１期間と第２期間とを識別可能に構成されている」ことに相当する。
　
（ｎ）刊行物発明における「メーター部に、移動表示部が一番右の特別演出目印部の直前で停止表示」することは、構成ｉより「遊技ボタン１４が特別停止秒数に合わせて実施されなかった場合」であるから、上記（ｉ）より、本願発明における「第２報知態様における可変報知表示態様を第２期間であることを示す表示位置で表示」させることに相当する。
　そして、刊行物発明における「数値表示部に、遊技ボタン１４が操作された経過時間として５：４５を停止表示」することと、本願発明における「第２期間を示す表示位置に第１報知態様における複数の報知表示態様を」「表示させる」こととは、「第２期間を示す表示位置に第１報知態様を表示させる」ことで共通する。
　したがって、刊行物発明における構成ｎの「遊技者が遊技ボタン１４を操作した時間が、遊技ボタン１４の操作が失敗した内容の表示が行われる時間であった場合、メーター部に、移動表示部が一番右の特別演出目印部の直前で停止表示すると共に、数値表示部に、遊技ボタン１４が操作された経過時間として５：４５を停止表示した状態に制御する」「サブ統合制御装置５３」と、本願発明における構成Ｎの「第２報知態様における可変報知表示態様を前記第２期間であることを示す表示位置で表示されていると判別した場合に、第２期間を示す表示位置に第１報知態様における複数の報知表示態様をそれぞれ表示させる設定を実行するものである」「報知手段」とは、「報知手段は、第２報知態様における可変報知表示態様を第２期間であることを示す表示位置で表示させると共に、第２期間を示す表示位置に第１報知態様における複数の報知表示態様をそれぞれ表示させる」「報知手段」である点で共通する。
　
　上記（ａ）〜（ｎ）における対比から、本願発明と刊行物発明とは、
「Ａ　所定の判定を実行する判定手段と、
Ｂ　その判定手段による判定結果を示すための識別情報が動的表示される表示手段と、
Ｃ　その表示手段に特定の前記判定結果を示すための識別情報が停止表示された場合に、遊技者に有利となる特典を付与する特典付与手段と、を有した遊技機において、
Ｄ　遊技の演出を実行する演出実行手段と、
Ｅ　遊技者が操作可能な操作手段と、
Ｆ　その操作手段が操作されたことを判別する操作判別手段と、
Ｇ　その操作判別手段による判別結果に基づいて、前記演出を可変させる演出可変手段と、
Ｈ　前記操作手段が操作されたと前記操作判別手段に判別されたタイミングにより前記演出可変手段により可変される演出内容を設定する演出設定手段と、
Ｉ　前記操作手段が操作されたと前記操作判別手段により判別されたことに基づいて、遊技者にとって有利となる前記演出内容が設定される第１期間と、その第１期間よりも遊技者にとって不利となる前記演出内容が設定される第２期間とを少なくとも設定することが可能な期間設定手段と、
Ｊ　前記第１期間と前記第２期間とを判別可能に報知する第１報知態様とその第１報知態様とは異なる報知態様で前記第１期間と前記第２期間とを判別可能に報知する第２報知態様とを少なくとも同一期間に報知する報知手段と、
Ｍ　前記第２報知態様は、経時に従って表示位置が所定の態様で可変されて表示されうる可変報知表示態様と表示位置が固定して表示される固定報知表示態様とを組み合わせることで前記第１期間と前記第２期間とを識別可能に構成されているものであり、
Ｎ’前記報知手段は、前記第２報知態様における前記可変報知表示態様を前記第２期間であることを示す表示位置で表示させると共に、前記第２期間を示す表示位置に前記第１報知態様をそれぞれ表示させる
　遊技機。」
　の点で一致し、構成Ｋ、Ｌ、Ｎに関し、次の点で相違する。
　
［相違点１］（構成Ｊ、Ｌ）
　第１報知態様に関して、
　本願発明は、第１報知態様は、経時に従ってそれぞれ表示位置が可変されて表示されうる複数の報知表示態様の表示位置を組み合わせることで第１期間と第２期間とを識別可能に構成されているのに対して、
　刊行物発明は、そのような構成を有していない点。
　
［相違点２］（構成Ｋ）
　本願発明は、判定手段による判定結果が特定の判定結果である場合には、第１期間であることを示す第１報知態様に基づいて遊技者が操作手段を操作することで第１期間に操作手段が操作されたと操作判別手段により判別されることが可能となる第１報知態様が実行され易くし、判定手段による判定結果が特定の判定結果でない場合には、第１期間であることを示す第１報知態様に基づいて遊技者が操作手段を操作することで第１期間に操作手段が操作されたと操作判別手段により判別されることが困難な第１報知態様が実行され易くする手段を有するのに対して、
　刊行物発明はそのような構成を有していない点。
　
［相違点３］（構成Ｎ）
　本願発明は、報知手段が、第２報知態様における可変報知表示態様を第２期間であることを示す表示位置で表示されていると判別した場合に、第２期間を示す表示位置に第１報知態様における複数の報知表示態様をそれぞれ表示させる設定を実行するものであるのに対して、
　刊行物発明は、そのような構成を有していない点。
　
６　当審の判断
（１）相違点１、３（構成Ｊ、Ｌ、Ｎ）
　相違点１、３は、第２報知態様に関連する事項であるのでまとめて検討する。
　遊技機の技術分野において、演出効果を高めるために、遊技者により操作可能な操作手段を備え、経時に従ってそれぞれ表示位置が可変されて表示されうる複数の報知表示態様の表示位置を組み合わせることで操作を行う第１期間と第２期間とを識別可能に構成されている第１報知態様にて第１期間と第２期間とを判別可能に報知する、操作演出を行うことは、優先日前に周知の技術事項である（例えば、当審による拒絶理由で引用した特開２０１０−１２１４６号公報の【０００３】〜【０００４】、【００１７】〜【００２１】、【図２】には、タッチボタン１７を備え、タッチボタン１７の操作タイミングに、敵１、２とターゲット２２とが重なった状態となる操作タイミングと、重ならない状態となる操作タイミングとを設け、両タイミングを識別可能に表示するポイント獲得演出について示され、特開２００８−２２８９０８号公報の【０００３】〜【０００４】、【００５０】〜【００５３】、【図４】〜【図５】には、操作ボタン８２を備え、操作ボタン８２の操作タイミングに画角領域２１４の略中央に被写体オブジェクト２１５の顔が位置する映像が表示された操作の撮影最適タイミングと、それ以外の操作タイミングとを設け、両タイミングを識別可能に表示する撮影演出について示されている。以下「周知の技術事項１」という。）。
　そして、刊行物発明と上記周知の技術事項１とは、操作手段の操作タイミングに応じた演出を行うという共通の機能を有するものである。
　また、刊行物発明と上記周知の技術事項１とは、演出効果を高めるという共通の課題を解決するものである。
　さらに、刊行物発明は、「遊技者に、移動表示部が特別演出目印部を通過するタイミングで遊技ボタン１４を操作させることで、数値表示部の経過秒数をすべて同じ数字で揃えて停止させることを狙い易く」する発明である。
　したがって、刊行物発明における「特別演出」、又は、「通常演出」による「メーター部」と「数値表示部」による演出のうち、「数値表示部」による演出に上記周知の技術事項１の操作演出を適用して、上記相違点１に係る本願発明の構成とすることは当業者が容易になし得たものである。
　
　また、刊行物発明の構成ｎにおいて、サブ統合制御装置５３によって、「メーター部」への表示と、「数値表示部」への表示とを同時に制御する際に、「メーター部」の「移動表示部」の表示位置と、「数値表示部」の「経過時間」の表示をそれぞれ独立したタイミングに応じて設定する処理と、「メーター部」の「移動表示部」の表示位置が特定位置にあるタイミングで「数値表示部」の「経過時間」の表示を設定する処理のいずれかが選択可能であり、いずれの処理処理を選択するのかは、制御装置による処理効率や、サブ統合制御装置５３に対する処理負担等を考慮し、当業者が適宜決定し得ることであるところ、上記刊行物発明に上記周知の技術事項１を適用するに際して、報知手段に、第２報知態様における可変報知表示態様を遊技者にとって不利となる第２期間であることを示す表示位置で表示されていると判別した場合に、第２期間を示す表示位置に第１報知態様における複数の報知表示態様をそれぞれ表示させる設定を実行させて、上記相違点３に係る本願発明の構成とすることは当業者が必要に応じてなし得た設計事項である。
　
（２）相違点２（構成Ｋ）
　遊技機の技術分野において、演出効果を高めるために、操作手段を設け、必要に応じて、操作手段を操作する最適タイミングの時間範囲の設定を変えることにより操作難易度を変更可能にする、操作手段を用いた演出を行うことは、優先日前に周知の技術事項である（例えば、当審による拒絶理由で引用した特開２００７−３１３１０６号公報の【０５３６】、【０５３７】には、所定範囲のタイミングで操作ボタン１２０が操作されたか否かの判断を行うに際し、操作ボタン１２０を操作難易度を高く設定する場合には所定の範囲が狭くなるように設定し、難易度を低く設定する場合には所定の範囲が広くなるように設定することが記載され、上記特開２００８−２２８９０８号公報の【００４６】、【００４７】には、当否抽選の結果に応じて、撮影最適タイミングの時間的長さを可変とすることにより、操作の難易度を可変可能とした撮影演出を行うことが記載されている。以下「周知の技術事項２」という。）。
　また、刊行物発明と上記周知の技術事項２とは、演出効果を高めるという共通の課題を解決するものである。
　したがって、刊行物発明に上記周知の技術事項２を適用して、当否判定が当のときの変動パターン６に基づいて「特別演出」を実行するときは、操作難易度を低くし、逆に、当否判定が否のときの変動パターン７に基づいて「特別演出」を実行するときは、操作難易度を高くし、上記相違点２に係る本願発明の構成とすることは当業者が容易になし得た設計事項である。
　
（３）請求人の主張について
　平成３０年９月１５日付け意見書において、請求人は、「本願発明は、上記した本願発明の特徴的構成ＡおよびＢを組み合わせることによる互いの表示位置が可変する複数の報知表示態様を組みあわせて有利な期間を識別可能となる報知態様と、一方の表示位置が可変されてその表示位置で有利な期間を識別可能となる報知態様とをそれぞれ同時に表示する構成で、一方の表示位置が可変して表示される報知態様の表示位置を判別して、有利な期間で表示される場合に、互いに可変して表示される報知表示態様を有利な期間を示す表示位置で表示するように制御する構成については刊行物１〜４には一切記載がなく、２つの異なる報知態様が同時に表示される構成であっても、第２報知態様における可変報知表示態様が表示される位置を判別して第２期間を示す位置で表示される場合に、第１報知態様における複数の報知表示態様を第２期間を示す位置で表示させる設定を実行するように構成することで、同期して表示されるデータを予め設定しておく必要がなく、表示データが増加してしまう不具合を抑制して、制御負荷を軽減することができるという刊行物１〜４を組み合わせたものから奏することのできない特有の効果も有するものです。」（４．本願発明が特許されるべき事由（３）本願発明と刊行物１〜４との対比について）と主張する。
　
　
　そこで、上記請求人の主張について検討する。
　請求人の上記意見書における主張は、上記意見書の「３．補正の根拠（１）特許請求の範囲の補正」において、構成Ｎの補正の根拠について、「報知手段は、第２報知態様における可変報知表示態様を第２期間であることを示す表示位置で表示されていると判別した場合（インジケータがＧＥＴの位置で表示されていることに相当）に、第２期間を示す表示位置に第１報知態様における複数の報知表示態様をそれぞれ表示させる設定（魚と網が一致する表示位置で表示させる表示データが設定されることに相当）を実行するものであることが記載されています。」との主張からみて、「第２期間」を「インジケータがＧＥＴの位置で表示されている」期間、すなわち、「有利な期間」と捉えることを前提にするものである。
　しかしながら、本願発明の構成Ｉに、「第１期間よりも遊技者にとって不利となる演出内容が設定される第２期間」と定義されているように、本願発明において、「第２期間」は、「遊技者にとって不利となる」期間であり、一方、「第１期間」が「遊技者にとって有利となる」期間である。
　したがって、請求人の上記主張は、「遊技者にとって不利となる」期間が「第１期間」であるとの誤認に基づく主張であって、本願の特許請求の範囲の記載に基づかない主張である。
　
　ここでは、仮に、請求人の上記主張に沿って、構成Ｎの「第２期間」が「第１期間」の誤記であり、構成Ｎを「Ｎ’前記報知手段は、前記第２報知態様における前記可変報知表示態様を前記第
１
１
　刊行物１には、「ｎ’サブ統合制御装置５３は、遊技者が遊技ボタン１４を操作した時間が、遊技ボタン１４の操作が成功した内容の表示が行われる時間であった場合、メーター部に、移動表示部が一番右の特別演出目印部上に停止表示すると共に、数値表示部に、遊技ボタン１４が操作された経過時間として５：５５を停止表示した状態に制御する」（【００８１】、【００９５】）、【０１０７】）技術事項も記載されている。
　そして、上記（１）相違点１、３において検討したように、刊行物発明に構成ｎ’において、サブ統合制御装置５３によって、「メーター部」への表示と、「数値表示部」への表示とを同時に制御する際に、「メーター部」の「移動表示部」の表示位置と、「数値表示部」の「経過時間」の表示をそれぞれ独立したタイミングに応じて設定する処理と、「メーター部」の「移動表示部」の表示位置が特定位置にあるタイミングで「数値表示部」の「経過時間」の表示を設定する処理のいずれかが選択可能であり、いずれの処理処理を選択するのかは、制御装置による処理効率や、サブ統合制御装置５３に対する処理負担等を考慮し、当業者が適宜決定し得ることであるところ、上記刊行物発明に上記周知の技術事項１を適用するに際して、報知手段に、第２報知態様における可変報知表示態様を遊技者にとって有利となる第１期間であることを示す表示位置で表示されていると判別した場合に、第１期間を示す表示位置に第１報知態様における複数の報知表示態様をそれぞれ表示させる設定を実行させて、本願発明の構成とすることは当業者が必要に応じてなし得た設計事項である。
　
　よって、請求人の上記主張を採用することはできない。
　
（４）小括
　本願発明により奏される効果は、刊行物発明、及び、周知の技術事項１〜２から予測し得る効果の範囲内のものであって、格別なものではない。
　よって、本願発明は、刊行物発明、及び、周知の技術事項１〜２に基づいて当業者が容易に発明をすることができたものである。
　
７　むすび
　以上のとおりであるから、本願発明は、特許法第２９条第２項の規定により特許を受けることができない。
　したがって、本願は、他の請求項について検討するまでもなく、拒絶すべきものである。
　
　よって、結論のとおり審決する。